(57)【要約】      （修正有）【課題】安定した陳列を行うことができると共に、有効な訴求効果を発揮することができる陳列台を提供する。【解決手段】紙製の陳列台１は組立形態Ｆ１と折畳形態との間で変形する。陳列台は、前後方向に対向する一対の脚壁２と、三角柱状に形成される二対の支柱部３と、開口部２１が穿設され、左右方向に対向する一対の側壁４と、一対の脚壁の上端部の間に架設され、二対の支柱部に支持される上段棚板５と、一対の側壁の開口部の下縁部を支点にして回動可能に設けられる下段棚板６と、を備え、折畳形態に変形させる場合、上段棚板は上方に突き出すように折り返され、下段棚板は跳ね上げられ、各々の側壁は、折込線Ｌ５に沿って下段棚板と共に内側に折り込まれ、各々の内側面部１７を支柱屈曲線Ｌ１２に沿って内向きに屈曲させて各々の支柱部を押し潰すことで一対の脚壁を互いに近接させる。【選択図】図１
0003233514.tif 000002
【実用新案登録請求の範囲】
【請求項１】
自立して商品の陳列に供される組立形態（Ｆ１）と、折り畳まれて平坦になる折畳形態（Ｆ２）との間で変形可能に設けられる紙製の陳列台（１）であって、
前記組立形態において第１方向に対向して配置される一対の脚壁（２）と、
一対の前記脚壁において第１方向に直交する第２方向の両側に設けられ、前記組立形態において上下方向に延在する三角柱状に形成される二対の支柱部（３）と、
開口部（２１）が穿設され、前記支柱部を介して一対の前記脚壁に連結され、前記組立形態において第２方向に対向して配置される一対の側壁（４）と、
前記組立形態において一対の前記脚壁の上端部の間に架設され、二対の前記支柱部に支持される上段棚板（５）と、
前記組立形態において一対の前記側壁の前記開口部の下縁部の間に架設され、少なくとも一方の前記開口部の下縁部を支点にして回動可能に設けられる下段棚板（６）と、を備え、
各々の前記支柱部の内側面部（１７）には、上下方向に伸長する支柱屈曲線（Ｌ１２）が形成され、
各々の前記側壁および前記側壁と同一面上に跳ね上げられた前記下段棚板には、上下方向に伸長する折込線（Ｌ５）が形成され、
前記組立形態から前記折畳形態に変形させる場合、前記上段棚板は第２方向に延びた上段折線（Ｌ６）に沿って上方に突き出すように折り返され、または少なくとも一方の前記脚壁との境界を支点に跳ね上げられ、前記下段棚板は少なくとも一方の前記開口部の下縁部を支点に跳ね上げられ、各々の前記側壁は、前記折込線に沿って前記下段棚板と共に内側に折り込まれ、各々の前記内側面部を前記支柱屈曲線に沿って内向きに屈曲させて各々の前記支柱部を押し潰すことで一対の前記脚壁を互いに近接させることを特徴とする陳列台。
【請求項２】
各々の前記支柱部は、平面から見て直角三角形状に形成され、斜辺となる傾斜面部（１６）を第２方向の外側に向けた姿勢で設けられ、
各々の前記側壁は、
前記開口部を有する側本体部（２０）と、
前記側本体部の第１方向の両端に連設され、前記傾斜面部に接合される一対の接続片（２５）と、を有し、
前記組立形態において、各々の前記接続片は前記側本体部に対して第２方向の外側に折り曲げられることを特徴とする請求項１に記載の陳列台。
【請求項３】
前記上段棚板は、
前記上段折線を介して連設される一対の折曲天板（３０）と、
一対の前記折曲天板の上面に固定され、前記組立形態において前記上段折線の上で互いに噛み合う凹凸部（３２）を有する一対の噛合天板（３１）と、を有し、
前記組立形態から前記折畳形態に変形させる場合、一対の前記折曲天板は前記上段折線に沿って上方に突き出すように折り返され、一対の前記噛合天板の前記凹凸部は噛み合いを解除され、前記凹凸部の凸部分は折り返された一対の前記折曲天板の頂点よりも上方に延設されることを特徴とする請求項１または２に記載の陳列台。
【請求項４】
一対の前記側壁の少なくとも一方の下部に取り付けられ、前記組立形態において前記下段棚板を支持する下段支持部（７）を更に備え、
前記下段棚板は、
一方の前記開口部の下縁部を支点に回動可能に設けられ、下層係合部（４２）が設けられ、前記組立形態において前記下段支持部に当接する下層板（４０）と、
他方の前記開口部の下縁部を支点に回動可能に設けられ、前記組立形態において前記下層板の上に積層され、前記下層係合部に係合する上層係合部（４３）が設けられる上層板（４１）と、を有していることを特徴とする請求項１ないし３のいずれか１項に記載の陳列台。
【請求項５】
各々の前記脚壁は、
脚開口部（１１）が穿設される脚本体部（１０）と、
前記脚本体部の第２方向の両端に連設され、内側に巻き込むように折り曲げられ、先端部を前記脚本体部に接合することで前記支柱部を形成する一対の支柱片（１５）と、を有していることを特徴とする請求項１ないし４のいずれか１項に記載の陳列台。
【考案の詳細な説明】
【技術分野】
【０００１】
本考案は、折り畳まれて平坦になる折畳形態と、自立して商品の陳列に供される組立形態との間で変形可能に設けられる紙製の陳列台に関する。
【背景技術】
【０００２】
折り畳み可能な厚紙製陳列台が知られている（特許文献１）。この厚紙製陳列台では、対向する妻壁がヒンジを軸に内側へ窪むように谷折りされながら対向する側壁を接近させ、棚板が跳ね上げられることで折畳状態にされていた。折畳状態から組み立てる場合、対向する側壁が引き離されることで、対向する妻壁の折り曲げが伸ばされ、棚板が下方へ揺動する。これにより、対を成す側壁および妻壁が角筒状の枠体を構成し、棚板が枠体の上部にセットされる。
【先行技術文献】
【特許文献】
【０００３】
【特許文献１】特開２０１９−９８１４０号公報
【考案の概要】
【考案が解決しようとする課題】
【０００４】
上記した厚紙製陳列台では、側壁と妻壁とで構成された枠体が棚板に載せられた商品の荷重を支えていた。棚板に載せる商品が、例えば、複数の飲料缶を収容したケース等の重量物である場合、上記した厚紙製陳列台の枠体では、重量物を支えるために必要な圧縮強度を確保することが困難であった。仮に、枠体が必要な圧縮強度を備えていたとしても、棚板が枠体の上部にのみ設けられていたため、重量物を棚板に載せると、横方向に揺れて不安定になることがあった。
【０００５】
ところで、商品のパッケージには、商品のロゴやイラスト等の情報が表示されており、陳列することで広告として機能することがある。広告機能の実効性を高めるには、棚板に多数の商品を陳列することが好ましい。しかしながら、上記した厚紙製陳列台では、棚板は枠体の上部に設けられた１つのみであり、圧縮強度や安定性を考慮すると多数の商品を積み上げることができないこともあった。
【０００６】
また、少なくなった商品を棚板に補充するための在庫品を枠体の内部に収容することがある。仮に、枠体の内部に収容した商品も広告機能を発揮することができれば、顧客への高い訴求効果を期待することができる。しかしながら、枠体の内部に収容された商品は外部からは目視することができず、顧客への訴求効果を発揮することがなかった。
【０００７】
本考案は、上記事情を考慮し、安定した陳列を行うことができると共に、有効な訴求効果を発揮することができる陳列台を提供する。
【課題を解決するための手段】
【０００８】
本考案は、自立して商品の陳列に供される組立形態と、折り畳まれて平坦になる折畳形態との間で変形可能に設けられる紙製の陳列台であって、前記組立形態において第１方向に対向して配置される一対の脚壁と、一対の前記脚壁において第１方向に直交する第２方向の両側に設けられ、前記組立形態において上下方向に延在する三角柱状に形成される二対の支柱部と、開口部が穿設され、前記支柱部を介して一対の前記脚壁に連結され、前記組立形態において第２方向に対向して配置される一対の側壁と、前記組立形態において一対の前記脚壁の上端部の間に架設され、二対の前記支柱部に支持される上段棚板と、前記組立形態において一対の前記側壁の前記開口部の下縁部の間に架設され、少なくとも一方の前記開口部の下縁部を支点にして回動可能に設けられる下段棚板と、を備え、各々の前記支柱部の内側面部には、上下方向に伸長する支柱屈曲線が形成され、各々の前記側壁および前記側壁と同一面上に跳ね上げられた前記下段棚板には、上下方向に伸長する折込線が形成され、前記組立形態から前記折畳形態に変形させる場合、前記上段棚板は第２方向に延びた上段折線に沿って上方に突き出すように折り返され、または少なくとも一方の前記脚壁との境界を支点に跳ね上げられ、前記下段棚板は少なくとも一方の前記開口部の下縁部を支点に跳ね上げられ、各々の前記側壁は、前記折込線に沿って前記下段棚板と共に内側に折り込まれ、各々の前記内側面部を前記支柱屈曲線に沿って内向きに屈曲させて各々の前記支柱部を押し潰すことで一対の前記脚壁を互いに近接させる。
【０００９】
この場合、各々の前記支柱部は、平面から見て直角三角形状に形成され、斜辺となる傾斜面部を第２方向の外側に向けた姿勢で設けられ、各々の前記側壁は、前記開口部を有する側本体部と、前記側本体部の第１方向の両端に連設され、前記傾斜面部に接合される一対の接続片と、を有し、前記組立形態において、各々の前記接続片は前記側本体部に対して第２方向の外側に折り曲げられてもよい。
【００１０】
この場合、前記上段棚板は、前記上段折線を介して連設される一対の折曲天板と、一対の前記折曲天板の上面に固定され、前記組立形態において前記上段折線の上で互いに噛み合う凹凸部を有する一対の噛合天板と、を有し、前記組立形態から前記折畳形態に変形させる場合、一対の前記折曲天板は前記上段折線に沿って上方に突き出すように折り返され、一対の前記噛合天板の前記凹凸部は噛み合いを解除され、前記凹凸部の凸部分は折り返された一対の前記折曲天板の頂点よりも上方に延設されてもよい。
【００１１】
この場合、一対の前記側壁の少なくとも一方の下部に取り付けられ、前記組立形態において前記下段棚板を支持する下段支持部を更に備え、前記下段棚板は、一方の前記開口部の下縁部を支点に回動可能に設けられ、下層係合部が設けられ、前記組立形態において前記下段支持部に当接する下層板と、他方の前記開口部の下縁部を支点に回動可能に設けられ、前記組立形態において前記下層板の上に積層され、前記下層係合部に係合する上層係合部が設けられる上層板と、を有してもよい。
【００１２】
この場合、各々の前記脚壁は、脚開口部が穿設される脚本体部と、前記脚本体部の第２方向の両端に連設され、内側に巻き込むように折り曲げられ、先端部を前記脚本体部に接合することで前記支柱部を形成する一対の支柱片と、を有してもよい。
【考案の効果】
【００１３】
本考案によれば、安定した陳列を行うことができると共に、有効な訴求効果を発揮することができる。
【図面の簡単な説明】
【００１４】
【図１】本考案の一実施形態に係る陳列台（組立形態）を示す斜視図である。
【図２】本考案の一実施形態に係る陳列台（折畳形態）を示す斜視図である。
【図３】本考案の一実施形態に係る陳列台の脚壁等のブランクを示す平面図である。
【図４】本考案の一実施形態に係る陳列台の一方の側壁等のブランクを示す平面図である。
【図５】本考案の一実施形態に係る陳列台の他方の側壁等のブランクを示す平面図である。
【図６】本考案の一実施形態に係る陳列台の折曲天板のブランクを示す平面図である。
【図７】本考案の一実施形態に係る陳列台の噛合天板のブランクを示す平面図である。
【図８】本考案の一実施形態に係る陳列台の下段支持部のブランクを示す平面図である。
【図９】本考案の一実施形態に係る陳列台の組立を説明する分解斜視図である。
【図１０】図１のＸ−Ｘ断面図である。
【図１１】図２のＸＩ−ＸＩ断面図である。
【図１２】図２のＸＩＩ−ＸＩＩ断面図である。
【考案を実施するための形態】
【００１５】
以下、添付の図面を参照しつつ、本考案の実施形態について説明する。なお、図面に示すＦｒ、Ｒｒ、Ｌ、Ｒ、Ｕ、Ｄは、前、後、左、右、上、下を示している。前後方向（第１方向）、左右方向（第２方向）および上下方向は互いに直交している。本明細書では方向や位置を示す用語を用いるが、それらの用語は説明の便宜のために用いるものであって、本考案の技術的範囲を限定するものではない。また、方向や位置を示す用語は、陳列台を使用する状態での方向や位置を基準にしている。
【００１６】
［陳列台］
図１ないし図８を参照して、陳列台１について説明する。図１は陳列台１（組立形態Ｆ１）を示す斜視図である。図２は陳列台１（折畳形態Ｆ２）を示す斜視図である。図３は脚壁２等のブランク２Ａを示す平面図である。図４は一方の側壁４等のブランク４Ａを示す平面図である。図５は他方の側壁４等のブランク４Ｂを示す平面図である。図６は折曲天板３０のブランク５Ａを示す平面図である。図７は噛合天板３１のブランク５Ｂを示す平面図である。図８は下段支持部７のブランク７Ａを示す平面図である。
【００１７】
陳列台１は、例えば、段ボールシート等の紙製で構成されている。陳列台１は、自立して商品（図示せず）の陳列に供される組立形態Ｆ１（図１参照）と、折り畳まれて平坦になる折畳形態Ｆ２（図２参照）との間で変形可能に設けられている。陳列台１には上下二段の棚板５，６が設けられており、組立形態Ｆ１に変形された陳列台１は棚板５，６に商品を陳列した状態で店頭に設置される（図１参照）。陳列台１は、例えば、複数の飲料缶等を収容したケース等、重量のある商品の陳列にも対応している。棚板５，６には、複数の商品を段積みして置くこともできる。なお、商品の形状、大きさ、並べ方等は、上記に限らず、自由に変更してもよい。
【００１８】
図１および図２（適宜、後述する図１０等も参照）に示すように、陳列台１は、一対の脚壁２と、二対の支柱部３と、一対の側壁４と、上下二段の棚板５，６と、一対の下段支持部７と、を備えている。なお、以下の説明では、形態について明記した場合を除いて、組立形態Ｆ１に変形した陳列台１を基準にして説明する。また、本明細書では、説明の便宜上、上段に位置する棚板５を「上段棚板５」と呼び、下段に位置する棚板６を「下段棚板６」と呼び、上段棚板５と下段棚板６とで共通する説明では単に「棚板５，６」と呼ぶこととする。また、一対の脚壁２は同一構造であるため、本明細書では、特に明記した場合を除いて、１つの脚壁２について説明する。これと同様に、１つの支柱部３、１つの側壁４および１つの下段支持部７について説明する。
【００１９】
一対の脚壁２は、前後方向（第１方向）に対向して配置されている。二対の支柱部３は、一対の脚壁２において左右方向（第２方向）の両側に設けられている。各支柱部３は、上下方向に延在する三角柱状に形成されている。一対の側壁４は、支柱部３を介して一対の脚壁２に連結され、左右方向に対向して配置されている。各脚壁２には脚開口部１１が穿設され、各側壁４には開口部２１が穿設されている。上段棚板５は一対の脚壁２の上端部の間に架設され、下段棚板６は一対の側壁４の開口部２１の下縁部の間に架設されている。上段棚板５は、一対の折曲天板３０の上に一対の噛合天板３１を積層した二重壁となっている。下段棚板６は、下層板４０の上に上層板４１を積層した二重壁となっている。一対の下段支持部７は、一対の側壁４の下部に取り付けられている。なお、脚壁２と側壁４との表面は、商品の説明や広告等の情報を提示するための提示面とされている（図示せず）。
【００２０】
脚壁２と一対の支柱部３とは、一体に形成されており、一枚のブランク２Ａ（図３参照）を適宜折り曲げる等することで組み立てられる。一方（図１等では左方）の側壁４と下層板４０とは、一体に形成されており、一枚のブランク４Ａ（図４参照）を適宜折り曲げる等することで組み立てられる。他方（図１等では右方）の側壁４と上層板４１とは、一体に形成されており、一枚のブランク４Ｂ（図５参照）を適宜折り曲げる等することで組み立てられる。一対の折曲天板３０はブランク５Ａ（図６参照）から構成され、一対の噛合天板３１はブランク５Ｂ（図７参照）から構成される。下段支持部７は、ブランク７Ａ（図８参照）を適宜折り曲げる等することで組み立てられる。各々のブランク２Ａ，４Ａ，４Ｂ，５Ａ，５Ｂ，７Ａは、１枚の紙製の段ボールシートを抜型等で打ち抜いて形成されている。段ボールシートは、例えば、波状の中しん９Ａに表ライナ９Ｂと裏ライナ９Ｃ（図２も参照）とを貼り合せた両面段ボールシートである。なお、図３ないし図８は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００２１】
［脚壁等のブランク］
図３に示すように、脚壁２等のブランク２Ａは、脚本体部１０と、一対の支柱片１５と、を備えている。なお、一対の支柱片１５は脚本体部１０を中心に線対称に形成されているため、以下、１つの支柱片１５について説明する。
【００２２】
＜脚本体部＞
脚本体部１０は、段方向（上下方向）を長辺とする略長方形状の外形を有している。脚本体部１０の中央領域には脚開口部１１が穿設され、脚本体部１０は矩形環状に形成されている。脚開口部１１は、段方向を長辺とする略長方形状の穴である。脚開口部１１の上下両縁部には、それぞれ、２本の第１折返し線Ｌ１０を介して脚補強片１２が連設されている。上下一対の脚補強片１２は、脚開口部１１の上下両側を埋めるような略長方形状に形成されている。２本の第１折返し線Ｌ１０は段ボールシートの厚み程度の間隔をあけて流れ方向に略平行に伸長し、２本の第１折返し線Ｌ１０の間には第１額縁部１３が形成されている。脚本体部１０の上端には、上段ヒンジ線Ｌ１１を介して棚連結片１４が連設されている。棚連結片１４は、基端から先端に向かって徐々に幅狭くなる略台形状に形成されている。
【００２３】
＜支柱片＞
一対の支柱片１５は、脚本体部１０の流れ方向（第２方向）の両端に連設されている。支柱片１５は、傾斜面部１６と、内側面部１７と、接合面部１８と、を有している。傾斜面部１６は、第１折曲線Ｌ１を介して脚本体部１０の流れ方向の端部に連設されている。内側面部１７は、第２折曲線Ｌ２を介して傾斜面部１６の流れ方向の先端に連設されている。接合面部１８は、第３折曲線Ｌ３を介して内側面部１７の流れ方向の先端に連設されている。傾斜面部１６、内側面部１７および接合面部１８は、この順に段階的に流れ方向の幅が狭くなり、且つ脚本体部１０と同一高さにされた略長方形状に形成されている。内側面部１７には、上下方向に伸長する支柱屈曲線Ｌ１２が形成されている。支柱屈曲線Ｌ１２は、第３折曲線Ｌ３から段ボールシートの厚み程度の間隔をあけて第３折曲線Ｌ３と略平行に形成されている。
【００２４】
なお、第１折返し線Ｌ１０は段ボールシートを裏ライナ９Ｃ側から厚み方向に潰した汎用罫線であり、上段ヒンジ線Ｌ１１、第１〜第３折曲線Ｌ１〜Ｌ３および支柱屈曲線Ｌ１２は汎用罫線上に複数の切目を入れたリード罫である。上記した第１折返し線Ｌ１０等は、汎用罫線やリード罫に限らず、例えば、ミシン目等、段ボールシートを所望の向きに折り曲げるための構造であれば如何なるものでもよい。
【００２５】
［一方の側壁等のブランク］
図４に示すように、一方の側壁４等のブランク４Ａは、側本体部２０と、下層板４０と、一対の接続片２５と、を備えている。なお、一対の接続片２５は側本体部２０を中心に線対称に形成されているため、以下、１つの接続片２５について説明する。
【００２６】
＜側本体部＞
側本体部２０は、流れ方向（上下方向）を長辺とする略長方形状の外形を有している。側本体部２０の中央領域には開口部２１が穿設され、側本体部２０は上下一対の長方形状の領域に分断されている。開口部２１は、流れ方向を長辺とする略長方形状の穴である。開口部２１の上縁部には、２本の第２折返し線Ｌ２０を介して一対の側補強片２２が連設されている。各側補強片２２は略長方形状に形成され、一対の側補強片２２は段方向の略中央で突き合わされて開口部２１の上側を埋めるように横並びに設けられている。２本の第２折返し線Ｌ２０は、段ボールシートの厚み程度の間隔をあけて段方向に略平行に伸長している。２本の第２折返し線Ｌ２０の間には、一対の側補強片２２に対応して一対の第２額縁部２３が形成されている。
【００２７】
＜下層板＞
下層板４０は、第１下段ヒンジ線Ｌ２１を介して開口部２１の下縁部に連設されている。下層板４０は、開口部２１の上下方向の中央付近から下側を埋めるような四角形状に形成されている。下層板４０は、開口部２１の下縁部（第１下段ヒンジ線Ｌ２１）を支点に回動可能に設けられ、図４では跳ね上げられた状態を示している。下層板４０の流れ方向の寸法は、略水平にした状態で一対の側壁４の間に架設される程度に設定されている。下層板４０において開口部２１の下縁部（第１下段ヒンジ線Ｌ２１）の近傍には、下層係合穴４２（下層係合部）が穿設されている。下層係合穴４２は、下層板４０の段方向の中央部にて長方形状に開口している。
【００２８】
（折込線）
側本体部２０および側本体部２０と同一面上に跳ね上げられた下層板４０には、上下方向に伸長する折込線Ｌ５が形成されている。折込線Ｌ５は、側本体部２０と下段棚板６との段方向の略中央に形成され、一対の側補強片２２の突き合わせ位置に略一致している。
【００２９】
＜接続片＞
一対の接続片２５は、第４折曲線Ｌ４を介して側本体部２０の段方向（第１方向）の両端に連設されている。詳細には、接続片２５は開口部２１で分断された側本体部２０の上下両側部に連設され、接続片２５の上下両側の連設部を除く中間部は開口部２１に露出している。接続片２５は、側本体部２０と同一高さにされた略長方形状に形成されている。接続片２５の段方向の寸法（幅）は、支柱片１５の傾斜面部１６の幅と略同一とされている。
【００３０】
［他方の側壁等のブランク］
図５に示すように、他方の側壁４等のブランク４Ｂは、側本体部２０と、上層板４１と、一対の接続片２５と、を備えている。なお、ブランク４Ｂは、上記した一方の側壁４等のブランク４Ａと概ね同様の形状であるため、ブランク４Ａと同一の構成については同一の符号を付し、その説明を省略する。
【００３１】
＜上層板＞
上層板４１は、第２下段ヒンジ線Ｌ２２を介して開口部２１の下縁部に連設されている。上層板４１は、下層板４０と略同一となる四角形状に形成されている。上層板４１は、開口部２１の下縁部（第２下段ヒンジ線Ｌ２２）を支点に回動可能に設けられ、図５では跳ね上げられた状態を示している。上層板４１の先端側には、上層係合片４３（上層係合部）が設けられている。上層係合片４３は、上層板４１の段方向の中央部において略Ｕ字状の切目と、Ｕ字状の切目の先端同士を結ぶ係合折線Ｌ２３とで囲まれる範囲に形成されている。上層係合片４３は、上層板４１の先端から基端に向かって徐々に幅広くなる略台形状に形成されている。なお、折込線Ｌ５は、側本体部２０および上層板４１（上層係合片４３）に形成されている。
【００３２】
なお、第２折返し線Ｌ２０、第１下段ヒンジ線Ｌ２１、折込線Ｌ５、第４折曲線Ｌ４、第２下段ヒンジ線Ｌ２２および係合折線Ｌ２３は汎用罫線であるが、これに限らず、例えば、ミシン目やリード罫等、段ボールシートを所望の向きに折り曲げるための構造であれば如何なるものでもよい。
【００３３】
［折曲天板のブランク］
図６に示すように、一対の折曲天板３０のブランク５Ａは、略正方形状の外形を有している。ブランク５Ａには段方向に略二等分する位置に上段折線Ｌ６が形成され、上段折線Ｌ６によって一対の折曲天板３０が区画されている。つまり、一対の折曲天板３０は、互いに上段折線Ｌ６を介して連設されている。なお、上段折線Ｌ６は汎用罫線であるが、これに限らず、例えば、ミシン目やリード罫等、段ボールシートを所望の向きに折り曲げるための構造であれば如何なるものでもよい。
【００３４】
［噛合天板のブランク］
図７に示すように、一対の噛合天板３１のブランク５Ｂは、略正方形状の外形を有している。ブランク５Ｂには流れ方向に沿って凹凸状に屈曲する切断線が形成され、ブランク５Ｂは切断線によって一対の噛合天板３１に分割されている。一対の噛合天板３１は、突き合わせ部分において互いに噛み合う凹凸部３２を有している。詳細には、一方（図７では左方）の噛合天板３１には１つの凸部を挟んで２つの凹部が形成され、他方（図７では右方）の噛合天板３１には１つの凹部を挟んで２つの凸部が形成されている。
【００３５】
［下段支持部のブランク］
図８に示すように、下段支持部７のブランク７Ａは、一対の支持本体部４５と、一対の支持連結片４６と、を備えている。一対の支持本体部４５および一対の支持連結片４６は一列に並設され、ブランク７Ａは流れ方向に細長い略長方形状に形成されている。
【００３６】
一対の支持本体部４５は、それぞれ流れ方向を長辺とする略長方形状に形成され、互いに第１支持折線Ｌ３１を介して連設されている。一対の支持連結片４６は、それぞれ支持本体部４５よりも流れ方向に短い略長方形状に形成され、第２支持折線Ｌ３２を介して一対の支持本体部４５の流れ方向の両端に連設されている。各支持連結片４６の自由端側の角部は斜めに面取りされている。なお、第１支持折線Ｌ３１および第２支持折線Ｌ３２は汎用罫線であるが、これに限らず、例えば、ミシン目やリード罫等、段ボールシートを所望の向きに折り曲げるための構造であれば如何なるものでもよい。
【００３７】
［陳列台の組立］
図９を参照して、陳列台１の組立手順の一例について説明する。図９は陳列台１の組立を説明する分解斜視図である。
【００３８】
陳列台１は、ブランク２Ａ，４Ａ，４Ｂ，５Ａ，５Ｂ，７Ａ（図３ないし図８参照）を適宜折り曲げたり接着したりすることで組み立てられる。なお、本明細書では、裏ライナ９Ｃを内側に向けるように段ボールシートを折り曲げることを「正折り」と呼び、表ライナ９Ｂを内側に向けるように段ボールシートを折り曲げることを「逆折り」と呼ぶこととする。また、接着剤としては、例えば、ホットメルト接着剤、合成樹脂系エマルジョン接着剤、両面テープ等を用いることができる。
【００３９】
＜脚壁および支柱部の組立＞
作業者は、ブランク２Ａから脚壁２および一対の支柱部３を組み立てる。具体的には、作業者は、上下一対の脚補強片１２の裏面（裏ライナ９Ｃ）に接着剤を付し、一対の脚補強片１２を２本の第１折返し線Ｌ１０に沿って内側に折り返す（正折りする）。一対の脚補強片１２は脚本体部１０の裏面に接着され、脚本体部１０の上下両側が二重壁となる。上下一対の第１額縁部１３は、脚開口部１１の上下両縁部を構成する。
【００４０】
次に、作業者は、一対の支柱片１５の接合面部１８の表面（表ライナ９Ｂ）に接着剤を付し、傾斜面部１６を第１折曲線Ｌ１に沿って正折りし、内側面部１７を第２折曲線Ｌ２に沿って正折りし、接合面部１８を第３折曲線Ｌ３に沿って正折りする。傾斜面部１６、内側面部１７および接合面部１８は平面から見て三角形を成すように折り曲げられ、接合面部１８は脚本体部１０の裏面に接着される。支柱片１５は、内側に巻き込むように折り曲げられ、先端部（接合面部１８）を脚本体部１０に接合することで三角柱状の支柱部３を形成する。詳細には、支柱部３は、平面から見て傾斜面部１６を斜辺とする直角三角形状に形成される。支柱部３は、斜辺となる傾斜面部１６を左右方向（第２方向）の外側に向けた姿勢で設けられる。
【００４１】
以上によって、ブランク２Ａから脚壁２および一対の支柱部３が組み立てられる。なお、陳列台１には２つの脚壁２等が必要になるため、作業者は上記と同一の手順でもう１つの脚壁２等を組み立てる。
【００４２】
＜側壁の組立＞
作業者は、ブランク４Ａおよびブランク４Ｂから側壁４を組み立てる。具体的には、作業者は、一対の側補強片２２の裏面に接着剤を付し、一対の側補強片２２を２本の第２折返し線Ｌ２０に沿って内側に折り返す（正折りする）。一対の側補強片２２は側本体部２０の裏面に接着され、側本体部２０の上側が二重壁となる。一対の第２額縁部２３は、開口部２１の上縁部を構成する。
【００４３】
以上によって、ブランク４Ａ，４Ｂから一対の側壁４が組み立てられる。
【００４４】
＜下段支持部の組立および取付＞
作業者は、ブランク７Ａから下段支持部７を組み立てる。具体的には、作業者は、対の支持本体部４５および一対の支持連結片４６を第１〜第２支持折線Ｌ３１，Ｌ３２に沿って正折りし、略三角形状（環状）の下段支持部７を形成する。なお、一対の支持連結片４６は先端同士を突き合せ、面取り部分がＶ字状を成す。
【００４５】
次に、作業者は、下段支持部７の一対の支持連結片４６の表面に接着剤を付し、側壁４の側本体部２０の下部裏面に接着する。一対の支持本体部４５は、平面から見て第１支持折線Ｌ３１で山型に折れ曲がり、側本体部２０から内側に突き出している（後述する図１０参照）。下段支持部７の下端は、側壁４（側本体部２０）の下端と略一致し、下段支持部７の上端は、開口部２１の下縁部（第１下段ヒンジ線Ｌ２１や第２下段ヒンジ線Ｌ２２）と略一致している。なお、下段支持部７の接着作業は、一対の支持連結片４６のＶ字状の面取り部分を側本体部２０の折込線Ｌ５に一致させるように行われるとよい。
【００４６】
以上によって、下段支持部７が側壁４に固定される。なお、作業者は上記と同一の手順でもう１つの側壁４にも下段支持部７を固定する。
【００４７】
＜支柱部と側壁との連結＞
作業者は、前後方向に対向させた一対の脚壁２と、左右方向に対向させた一対の側壁４とを連結する。具体的には、作業者は、支柱部３の傾斜面部１６の表面（または側壁４の接続片２５の裏面）に接着剤を付し、接続片２５を第４折曲線Ｌ４に沿って逆折りし、傾斜面部１６の表面に接着する。側壁４の上下両端は、脚壁２（支柱部３）の上下両端に一致している。なお、接続片２５の接着作業は、傾斜面部１６および接続片２５に示されたマーカー（切目）を基準にして行われるとよい。
【００４８】
以上によって、各々の接続片２５は側本体部２０に対して左右方向の外側に折り曲げられた状態で傾斜面部１６に接合される。側本体部２０は、前後方向に対向する支柱部３の頂点（第２折曲線Ｌ２）の間に架設される（後述する図１０参照）。
【００４９】
＜上段棚板の組立＞
作業者は、ブランク５Ａおよびブランク５Ｂから上段棚板５を組み立てる。具体的には、作業者は、一対の噛合天板３１の裏面（下面）（または一対の折曲天板３０の表面（上面））に接着剤を付し、凹凸部３２が上段折線Ｌ６の上で互いに噛み合うように一対の噛合天板３１を一対の折曲天板３０の上面に接着（固定）する。つまり、各々の噛合天板３１が各々の折曲天板３０上に載るように固定する。これにより、二重壁となる上段棚板５が形成される（図１参照）。なお、接着剤は噛合天板３１の凹凸部３２を除く位置に付され、上段折線Ｌ６は平面から見て凹凸部３２を横断するように位置している。
【００５０】
＜上段棚板の取付＞
作業者は、一対の脚壁２の棚連結片１４の表面に接着剤を付し、一対の棚連結片１４を上段ヒンジ線Ｌ１１に沿って内側に折り曲げる（正折りする）。作業者は、上段棚板５の一対の折曲天板３０の前後両端部を前後一対の棚連結片１４に接着する。これにより、上段棚板５が一対の脚壁２の上端に架設される。
【００５１】
以上によって陳列台１の組み立てが完了する（図１参照）。なお、上記した陳列台１の組立手順は一例であり、当該組立手順は矛盾のない範囲で変更されてもよい。
【００５２】
［陳列台の変形］
次に、図１、図２、図１０ないし図１２を参照して、陳列台１の変形について説明する。図１０は、図１のＸ−Ｘ断面図である。図１１は、図２のＸＩ−ＸＩ断面図である。図１２は、図２のＸＩＩ−ＸＩＩ断面図である。なお、図１０ないし図１２では、説明の便宜上、不要な構成の図示は省略している。
【００５３】
既に説明したが、陳列台１は組立形態Ｆ１と折畳形態Ｆ２との間で変形可能とされている。陳列台１を店頭に設置して使用する場合には組立形態Ｆ１とされ、陳列台１を輸送したり保管したりする場合には折畳形態Ｆ２にされる。
【００５４】
＜組立形態＞
図１および図１０に示すように、陳列台１を組立形態Ｆ１にする場合、作業者は、一対の脚壁２の脚本体部１０を前後方向に間隔をあけて略平行に配置し、一対の側壁４の側本体部２０を左右方向に間隔をあけて略平行に配置し、上段棚板５を平板状にする。上段棚板５の一対の噛合天板３１は、凹凸部３２を噛み合わせて略水平な天板を構成する。また、上段棚板５は、４つの支柱部３（接続片２５）の上端に当接し、且つ一対の側本体部２０の上端に当接している。つまり、上段棚板５は、前後方向に対向した一対の脚壁２の間に架設され、二対の支柱部３と一対の側壁４とに支持されている。
【００５５】
次に、作業者は、一方の側本体部２０と同一面上に配置された下層板４０を第１下段ヒンジ線Ｌ２１に沿って下方に折り曲げる（図１参照）。下層板４０は、一対の下段支持部７の上端に当接し、略水平な姿勢となる。続いて、作業者は、他方の側本体部２０と同一面上に配置された上層板４１を第２下段ヒンジ線Ｌ２２に沿って下方に折り曲げる（図１参照）。上層板４１は、略水平な姿勢となって下層板４０の上に積層される。作業者は、上層板４１の上層係合片４３を係合折線Ｌ２３に沿って折り曲げながら下層板４０の下層係合穴４２に押し込む（図１参照）。上層係合片４３は、折込線Ｌ５でＶ字状に撓みながら下層係合穴４２に押し込まれる。上層係合片４３が下層係合穴４２に係合することで、上層板４１が下層板４０上に固定され、二重壁となる下段棚板６が形成される。下段棚板６は、左右方向に対向した一対の側壁４の間に架設され、一対の下段支持部７に支持されている。
【００５６】
以上によって、陳列台１が組立形態Ｆ１になる（図１参照）。作業者は、上下一対の棚板５，６に商品を載せる（陳列する）。
【００５７】
＜折畳形態＞
次に、図２、図１１および図１２を参照して、組立形態Ｆ１から折畳形態Ｆ２に変形させる場合について説明する。作業者は、各棚板５，６上の商品を取り除き、下層係合穴４２に押し込まれた上層係合片４３を引き抜き、上層板４１を第２下段ヒンジ線Ｌ２２に沿って跳ね上げ、下層板４０を第１下段ヒンジ線Ｌ２１に沿って跳ね上げる（図９も参照）。次に、作業者は、一対の側本体部２０、上層板４１および下層板４０を折込線Ｌ５に沿って内側に折り込む（逆折りする）。つまり、側壁４は、表面同士を重ね合わせるように折り込まれる。側壁４の折り込みに伴って、各下段支持部７の一対の支持本体部４５は、一対の支持連結片４６を挟んで側本体部２０に重なるように折り畳まれる（図１２参照）。側壁４は、折込線Ｌ５を下段支持部７の第１支持折線Ｌ３１に近接させるように折り込まれて行く（図１２参照）。折り込まれた一対の側本体部２０（下層板４０、上層板４１）と一対の下段支持部７とは、左右方向の中央側を前後方向にずらしてオーバーラップしている。
【００５８】
また、図２に示すように、側壁４の折り込みに伴って、上段棚板５は、左右方向に延びた上段折線Ｌ６に沿って上方に突き出すように折り返される。詳細には、一対の折曲天板３０は上段折線Ｌ６に沿って上方に突き出すように折り返され、一対の噛合天板３１の凹凸部３２は噛み合いを解除され、凹凸部３２の凸部分は折り返された一対の折曲天板３０の頂点よりも上方に延設される。
【００５９】
さらに、図１１および図１２に示すように、側壁４の折り込みに伴って、各々の内側面部１７が支柱屈曲線Ｌ１２に沿って内向きに屈曲し（逆折りされ）、各々の支柱部３が押し潰される。詳細には、各々の内側面部１７が支柱屈曲線Ｌ１２で折り込まれ、第２折曲線Ｌ２側となる内側面部１７が傾斜面部１６と共に内側に倒れ込む。傾斜面部１６は、支柱屈曲線Ｌ１２で折り畳まれた内側面部１７を挟んで脚本体部１０（接合面部１８）に対向する。
【００６０】
図２、図１１および図１２に示すように、各々の側壁４は、折込線Ｌ５に沿って下段棚板６と共に内側に折り込まれ、各々の支柱部３を押し潰すことで一対の脚壁２を互いに近接させる。つまり、一対の脚壁２は、折込線Ｌ５で折り畳まれた各側壁４と押し潰された各支柱部３とを前後方向から挟み込むように接近して配置される。
【００６１】
以上によって、陳列台１が折畳形態Ｆ２になる（図２参照）。
【００６２】
以上説明した本実施形態に係る陳列台１によれば、三角柱状の支柱部３を四隅部分に設けることで、商品を支えるために必要な圧縮強度を確保することができる。また、支柱部３は平面から見て三角形状を成しており（図１０参照）、三角形の頂点（節点）は自由度が無く不動とされているが、支柱部３の内側面部１７を支柱屈曲線Ｌ１２で屈曲させることで、三角柱状の支柱部３を押し潰す（折り畳む）ことができる（図１１等参照）。これにより、陳列台１に必要な圧縮強度を確保し、且つ陳列台１を平坦に折り畳むことができる。また、陳列台１を平面から見て、上段棚板５は前後方向に架設され、下段棚板６は左右方向に架設されていた。このように、上段棚板５と下段棚板６とを互いに交差するように架設することで、陳列台１の剛性を向上させることができる。これにより、仮に上段棚板５にのみ商品を陳列したとしても、上段棚板５の横揺れを抑制することができる。さらに、脚壁２には脚開口部１１が開口し、側壁４には開口部２１が開口しているため、顧客は脚開口部１１および開口部２１を通して下段棚板６に陳列した商品を視認することができる。これにより、陳列した商品による広告機能を発揮することができる。以上のように、本実施形態に係る陳列台１によれば、安定した陳列を行うことができると共に、有効な訴求効果を発揮することができる。
【００６３】
また、本実施形態に係る陳列台１によれば、接続片２５を支柱部３の傾斜面部１６に接合することで、傾斜面部１６を二重壁にすることができ、支柱部３の圧縮強度を向上させることができる。また、側壁４の前後両側を屈曲させることで側壁４の剛性が向上し、陳列台１（上段棚板５）の横揺れ抑制を更に強化することができる。さらに、側本体部２０が脚壁２の左右両端よりも内側に配置され、上段棚板５が支柱部３と側本体部２０との上端に当接するため、上段棚板５を確り支持することができる。これにより、商品が重量物であっても上段棚板５に陳列することができる。
【００６４】
また、本実施形態に係る陳列台１によれば、折畳形態Ｆ２において上段棚板５が裏面を合わせるように２つ折りにされるため、下段棚板６のように跳ね上げる場合に比べて、上方への突き出し量を少なくすることができる。これにより、折畳形態Ｆ２とした陳列台１をコンパクトにすることができ、輸送を容易にすることができると共に保管場所を省スペース化することもできる。
【００６５】
また、本実施形態に係る陳列台１によれば、下層板４０と上層板４１とを重ね合わせることで下段棚板６を二重壁にすることができ、下段支持部７によって下段棚板６を確りと支持することができる。これにより、商品が重量物であっても下段棚板６に陳列することができる。また、上層係合片４３を下層係合穴４２に係合させることで、下層板４０と上層板４１とを重ね合わせた状態に保持することができる。
【００６６】
また、本実施形態に係る陳列台１によれば、支柱部３（支柱片１５）が脚壁２と一体に形成されているため、支柱部３が別体である場合に比べて、組み立てに係る手間を低減することができる。
【００６７】
なお、本実施形態に係る陳列台１では、支柱部３の傾斜面部１６が外側に向けられていたが、これに限らず、傾斜面部１６が内側に向けられて内側面部１７とされてもよい（図示せず）。この場合、側壁４の接続片２５は、内側面部１７（傾斜面部１６）に接合されてもよいが、内側面部１７が支柱屈曲線Ｌ１２で屈曲することを阻害しないように、支柱屈曲線Ｌ１２よりも三角形の頂点側に接合することが好ましい。また他にも、側壁４の接続片２５は、支柱部３の外側面部（傾斜面部１６ではない面）に接合されてもよい（図示せず）。この場合、接続片２５は側本体部２０に対して折曲せず、側壁４（側本体部２０および各接続片２５）は脚壁２の左右両端と略同一面上に配置される。また、接続片２５を省略し、側本体部２０の前後両側が支柱部３の外側面部に接合されてもよい（図示せず）。
【００６８】
また、本実施形態に係る陳列台１では、支柱部３が平面から見て直角三角形状に形成されていたが、これに限らず、例えば、正三角形や二等辺三角形等、直角三角形以外の三角形状であってもよい（図示せず）。
【００６９】
また、本実施形態に係る陳列台１では、支柱部３が脚壁２（脚本体部１０）と一体に形成されていたが、これに限らず、支柱部３が脚壁２と別体で形成されてもよい（図示せず）。この場合、支柱部３は脚壁２と側壁４の両方に接合される。
【００７０】
また、本実施形態に係る陳列台１では、上段棚板５が上段折線Ｌ６に沿って上方に突き出すように二つ折りにされていたが、本考案はこれに限定されない。上段棚板５は、少なくとも一方の脚壁２との境界を支点にして回動可能に設けられていればよい。例えば、下段棚板６と同様となるように、一対の板が一対の脚壁２の上端部（棚連結片１４）に連結され、一対の板が重なり合って上段棚板とされてもよい（図示せず）。この場合、一対の板を重ね合った状態に保持する係合部等が設けられるとよい（図示せず）。また他にも、１つの板で構成された上段棚板が、一方の脚壁２の上端部（棚連結片１４）に連結されてもよい（図示せず）。この場合、上段棚板は一対の脚壁２の上端間に架設され、上段棚板の先端に設けた係合片を他方の脚壁２に形成した係合穴に係合させるとよい（図示せず）。
【００７１】
また、本実施形態に係る陳列台１では、下層板４０と上層板４１とが左右両側の開口部２１の下縁部を支点に回動する構成とされていたが、本考案はこれに限定されない。下段棚板６は、少なくとも一方の開口部２１の下縁部を支点にして回動可能に設けられていればよい。例えば、１つの板で構成された下段棚板が、一方の開口部２１の下縁部に回動可能に連設されてもよい（図示せず）。この場合、下段棚板は一対の側壁４の開口部２１の下縁部間に架設され、下段棚板の先端に設けられた係合片を他方の側壁４に形成した係合穴に係合させるとよい（図示せず）。
【００７２】
また、本実施形態に係る陳列台１では、下層板４０に下層係合穴４２が開口し、上層板４１に上層係合片４３が形成されていたが、これに限らず、下層板４０に係合片を形成し、上層板４１に係合片が係合する係合穴が開口してもよい（図示せず）。また、下層係合穴４２や上層係合片４３の位置、大きさ、数等は、自由に変更してもよい。さらに、下層係合穴４２や上層係合片４３は省略されてもよい。
【００７３】
また、本実施形態に係る陳列台１では、組立形態Ｆ１において下段支持部７が下段棚板６を支持していたが、本考案はこれに限定されない。例えば、下段棚板６が左右両側の開口部２１の下縁部に確りと支持されるのであれば、下段支持部７は省略されてもよい（図示せず）。
【００７４】
また、本実施形態に係る陳列台１では、脚壁２に脚開口部１１が穿設されていたが、これに限らず、脚開口部１１は省略されてもよい（図示せず）。
【００７５】
また、本実施形態に係る陳列台１は、紙製の両面段ボールシートで形成されていたが、本考案はこれに限定されない。陳列台１は、両面段ボールシートに代えて、片面段ボール、複両面段ボール、複々両面段ボール等で形成されてもよいし、チップボール等の板紙で形成されてもよい。また、陳列台１の各部の寸法（幅、奥行き、高さ）や形状、段ボールシート等の厚みや中しん９Ａ（紙目）が延びる方向等は自由に変更してもよい。
【００７６】
なお、上記実施形態の説明は、本考案に係る陳列台における一態様を示すものであって、本考案の技術範囲は、上記実施形態に限定されるものではない。本考案の技術範囲は、上記実施形態に限定されるものではない。本考案は技術的思想の趣旨を逸脱しない範囲において様々に変更、置換、変形されてもよく、実用新案登録請求の範囲は技術的思想の範囲内に含まれ得る全ての実施態様を含んでいる。
【符号の説明】
【００７７】
１    陳列台
２    脚壁
３    支柱部
４    側壁
５    上段棚板
６    下段棚板
７    下段支持部
１０  脚本体部
１１  脚開口部
１５  支柱片
１６  傾斜面部
１７  内側面部
２０  側本体部
２１  開口部
２５  接続片
３０  折曲天板
３１  噛合天板
３２  凹凸部
４０  下層板
４１  上層板
４２  下層係合穴（下層係合部）
４３  上層係合片（上層係合部）
Ｆ１  組立形態
Ｆ２  折畳形態
Ｌ５  折込線
Ｌ６  上段折線
Ｌ１２  支柱屈曲線
【図１】
0003233514.tif 000003
【図２】
0003233514.tif 000004
【図３】
0003233514.tif 000005
【図４】
0003233514.tif 000006
【図５】
0003233514.tif 000007
【図６】
0003233514.tif 000008
【図７】
0003233514.tif 000009
【図８】
0003233514.tif 000010
【図９】
0003233514.tif 000011
【図１０】
0003233514.tif 000012
【図１１】
0003233514.tif 000013
【図１２】
0003233514.tif 000014